(57)【要約】【課題】上カバーを開閉操作した場合でも、メモリ部が破損することのない薬剤分包機を提供する。【解決手段】薬剤分包機本体の下台に対して開閉自在に構成された上カバーと、該上カバーの開閉を監視する監視ユニット１０と、該監視ユニット１０に通信線を介して接続され、前記上カバーの上面に設けられた端末４とを備えた薬剤分包機であって、前記監視ユニット１０にて前記上カバーの開放が検出されたときの開放信号に基づいて前記端末に備えているメモリ部Ｍに対するアクセスを停止させる停止手段１１を備えた。【選択図】図４
2009066129.tif 000002
【特許請求の範囲】
【請求項１】
薬剤分包機本体の下台に対して開閉自在に構成された上カバーと、該上カバーの開閉を監視する監視ユニットと、該監視ユニットに通信線を介して接続され、前記上カバーの上面に設けられた端末とを備えた薬剤分包機であって、
前記監視ユニットにて前記上カバーの開放が検出されたときの開放信号に基づいて前記端末に備えているメモリ部に対するアクセスを停止させる停止手段を備えたことを特徴とする薬剤分包機。
【請求項２】
前記端末は、患者情報を記憶しているノート型パーソナルコンピュータであり、前記停止手段が、前記ノート型パーソナルコンピュータをスリープ状態にするべく、前記監視ユニットから該ノート型パーソナルコンピュータにスリープコマンドを送信する手段であることを特徴とする請求項１記載の薬剤分包機。
【請求項３】
前記ノート型パーソナルコンピュータと前記上カバーとの間に、緩衝材を備えていることを特徴とする請求項２記載の薬剤分包機。
【発明の詳細な説明】
【技術分野】
【０００１】
本発明は、薬剤分包機本体の下台に対して開閉自在に構成された上カバーと、該上カバーの開閉を監視する監視ユニットと、該監視ユニットに通信線を介して接続され、前記上カバーの上面に設けられた端末とを備えた薬剤分包機に関する。
【背景技術】
【０００２】
薬剤分包機では、処方箋からの薬剤情報や患者名などの印刷情報を入力し、それらのデータを記憶させておくためのメモリ部（具体的には、ハードディスク）を備えたノート型パーソナルコンピュータを薬剤分包機の上面に設置しているものが既に提案されている（例えば特許文献１参照）。
【０００３】
ところで、近年において、例えば薬剤分包機の内部に備えるホッパーやシュートの表面に付着した散剤の微粉を定期的に清掃したり、メンテナンス等のために、薬剤分包機本体の上端に上カバーを開閉自在に取り付けたものも提案されている（例えば特許文献２参照）。
【０００４】
【特許文献１】特開２００６−１１０３８６号公報
【特許文献２】特開２００２−１９７０５号公報
【発明の開示】
【発明が解決しようとする課題】
【０００５】
上記特許文献２の構成の上カバーの上面にノート型パーソナルコンピュータをおいていると、メモリ部にデータを記憶させている最中においても、上カバーを開閉操作することが発生する。この場合、上カバーを閉じるときの衝撃力により、メモリ部であるハードディスクを破損してしまうことがあり、開閉操作できる上カバーの上面にはノート型パーソナルコンピュータを設置することができない不都合があった。
【０００６】
そこで本発明は、上記課題に鑑み、上カバーを開閉操作した場合でも、メモリ部が破損することのない薬剤分包機を提供することを目的とする。
【課題を解決するための手段】
【０００７】
本発明の薬剤分包機は、薬剤分包機本体の下台に対して開閉自在に構成された上カバーと、該上カバーの開閉を監視する監視ユニットと、該監視ユニットに通信線を介して接続され、前記上カバーの上面に設けられた端末とを備えた薬剤分包機であって、前記監視ユニットにて前記上カバーの開放が検出されたときの開放信号に基づいて前記端末に備えているメモリ部に対するアクセスを停止させる停止手段を備えたことを特徴としている。
監視ユニットにて前記上カバーの開放が検出されたときには、メモリ部に対するアクセスが起動しても、停止手段にてアクセスを停止させることができる。
【０００８】
前記端末は、患者情報を記憶しているノート型パーソナルコンピュータであり、前記停止手段が、前記ノート型パーソナルコンピュータをスリープ状態にするべく、前記監視ユニットから該ノート型パーソナルコンピュータにスリープコマンドを送信する手段であってもよい。
【０００９】
前記ノート型パーソナルコンピュータと前記上カバーとの間に、緩衝材を備えていてもよい。
【発明の効果】
【００１０】
監視ユニットにて前記上カバーの開放が検出されたときには、メモリ部に対するアクセスが起動しても、停止手段にてアクセスを停止させることができるから、メモリ部にデータが保存される動作を行うことがなく、上カバーを開閉操作した場合でも、メモリ部が破損することのない薬剤分包機を提供することができる。
【００１１】
停止手段が、前記ノート型パーソナルコンピュータをスリープ状態にするべく、前記監視ユニットから該ノート型パーソナルコンピュータにスリープコマンドを送信する手段である場合には、メモリ部へのデータ保存以外の操作も行えなくできるだけでなく、スリープ状態を解除すると、直ちにノート型パーソナルコンピュータを操作できる利点がある。尚、前記スリープ状態を解除する場合には、ノート型パーソナルコンピュータの任意のキーを押すことによって、解除してもよいが、上カバーを閉じる前に何らかの原因でキーに当たって解除される虞があるため、上カバーが閉じられたことを検出する検出信号に基づいて、監視ユニットからスリープ状態を解除するコマンドを出力することによって、スリープ状態を解除する構成が好ましい。このような構成とすることで、前記のような任意のキーを押し操作することにより解除する場合に比べて、キー操作無しに迅速にスリープ状態を解除することができ、直ちにノート型パーソナルコンピュータを操作できる利点がある。
【００１２】
前記スリープ状態であっても、開閉時に大きな衝撃力が加わると、ノート型パーソナルコンピュータのメモリ部等が破損してしまうことがあるが、前記ノート型パーソナルコンピュータと前記上カバーとの間に、緩衝材を備えている場合には、その衝撃力を緩和することができるから、前記スリープ状態でノート型パーソナルコンピュータのメモリ部等が破損することを確実に回避することができる利点がある。
【発明を実施するための最良の形態】
【００１３】
以下、本発明の実施形態に係る薬剤分包機を、図面に基づいて説明する。図１及び図２は、薬剤分包機の斜視図である。本発明の薬剤分包機は、薬剤分包機本体１とこれの上端に設置した端末の一例であるノート型パーソナルコンピュータ（パソコン）４とからなっている。
前記薬剤分包機本体１が、上側開放の左右方向に長い直方体からなる下台２と、下台２に水平軸芯Ｘ回りに開閉回動自在に設けられた上カバー３とを有している。前記上カバー３の上面に、前記ノート型パーソナルコンピュータ４が設置され、処方箋からの薬剤情報や患者名などの印刷情報を入力して、内部に備えるメモリ部Ｍ（図４参照）に記憶させることができるようになっている。
【００１４】
前記水平軸芯Ｘは、薬剤分包機本体１の後部でかつ上部に位置させるとともに、下台２と上カバー３との略境界部に設けられている。この薬剤分包機では、上カバー３は水平軸芯Ｘ回りに回動することで、下台２の開口を塞いだ閉姿勢（図１及び図２の実線で示す姿勢）と、下台２の開口を開放した開姿勢（図２の２点鎖線で示す姿勢）とに姿勢変更自在に構成している。そして、下台２の開口を開放した開姿勢に上カバー３を姿勢変更することにより、薬剤分包機本体１内に飛散した散薬を清掃したり、内部に配置している各種機器のメンテナンスを行うことができるようにしている。
【００１５】
薬剤分包機は、図示しないがその内部に分包紙ロール、該分包紙ロールから分包紙を繰り出すための繰出し装置、該繰出し装置によって繰出された分包紙に患者の情報等を印字するための印字装置、前記分包紙に薬剤を投入する薬剤投入装置、該薬剤投入装置によって薬剤が投入された分包紙を一包毎にヒートシールするためのヒートシール装置等が、薬剤分包機本体１に内装されている。
【００１６】
前記ノート型パーソナルコンピュータ４は、キーボードや前記メモリ部であるハードディスク等を備えた装置本体５と表示画面を構成するディスプレイ６とを有しており、例えば前記印字装置に印字内容を出力して動作させるためのものである。
【００１７】
上カバー３の上端は、段付きの縦面９を介して一段低くなった前上面７と一段高くなった後上面８とを有し、この段付きの縦面９によって、前上面７に比べて後上面８が高く位置付けられている。そして、前記後上面８の左右方向一端側（図では向かって左側）に装置本体５を図示していない固定手段にて固定されている。
【００１８】
前記上カバー３の開閉時に発生する衝撃力によって、ノート型パーソナルコンピュータ４のメモリ部Ｍが損傷することがないように構成している。
つまり、図４に示すように、前記上カバー３の開閉を検出する検出センサＳと、この検出センサＳからの出力信号が入力されることにより監視する監視ユニット１０とを備え、該監視ユニット１０に通信線（図示せず）を介して前記ノート型パーソナルコンピュータ４が接続されている。
【００１９】
前記監視ユニット１０にて前記上カバー３の開放が検出されたときの開放信号に基づいて前記ノート型パーソナルコンピュータ４に備えているメモリ部Ｍに対するアクセスを停止させる停止手段１１を監視ユニット１０に備えさせてあり、上カバー３が開放されると、メモリ部Ｍにアクセスしようとしても、アクセスが停止されるようになっている。
【００２０】
具体的には、前記停止手段１１が、前記ノート型パーソナルコンピュータ４をスリープ状態にするべく、前記監視ユニット１０から該ノート型パーソナルコンピュータ４にスリープコマンドを送信する手段であり、これを図５（ａ），（ｂ）に示すフローチャートに基づいて説明する。
【００２１】
つまり、前記検出センサＳからの開放信号が監視ユニット１０に入力されたかどうかを判断し（ステップＳ１）、入力された場合にはスリープコマンドを監視ユニット１０から送信する（ステップＳ２）。前記スリープコマンドが送信されると、ノート型パーソナルコンピュータ４をスリープ状態へ移行し（ステップＳ３）、設定時間経過した後（ステップＳ４）、制御を終了する。
【００２２】
前記スリープ状態になっているノート型パーソナルコンピュータ４は、任意のキーを押し操作することにより解除する構成でもよいが、上カバー３を閉じることにより、スリープ解除することができるように構成することによって、上カバー３が閉じられる前にスリープ状態が解除されることを阻止することができるようになっており、これを図５（ｂ）のフローチャートに基づいて説明する。
前記検出センサＳ（異なるセンサであってもよい）から上カバー３が閉じられたことを検出したときの閉じ信号が監視ユニット１０に入力されたかどうかを判断し（ステップＳ５）、入力された場合にはスリープ解除を行うためのコマンドを監視ユニット１０から送信する（ステップＳ６）。前記スリープ解除コマンドが送信されると、ノート型パーソナルコンピュータ４をスリープ解除状態へ移行し（ステップＳ７）、設定時間経過した後（ステップＳ８）、制御を終了する。この後は、ノート型パーソナルコンピュータ４を直ちに操作できる状態になっている。
前記検出センサＳは、非接触式の光電センサや磁気センサの他、リミットスイッチ等の接触式センサを用いることができる。前記スリープ状態よりも解除時間が長くなるディープスリープ状態にしてもよい。ここでは、スリープ状態にすることにより、メモリ部Ｍに対するアクセスを停止させるようにしたが、場合によっては、上カバー３の開放によりノート型パーソナルコンピュータ４の電源をＯＦＦにし、上カバー３が閉じられることによりノート型パーソナルコンピュータ４の電源をＯＮにする構成であってもよい。
【００２３】
図３に示すように、前記ノート型パーソナルコンピュータ４と前記上カバー３との間に、緩衝材としての合成ゴム、発泡樹脂等の弾性材１２を備えている。
具体的には、後上面８の左右方向一方側（図では左側）に凹部１３を形成し、その凹部１３の左右両端に凹部１３の深さよりも上下方向の厚みを有する板状の左右一対の弾性材１２，１２を固定している。このように弾性材１２，１２を備えさせることによって、上カバー３の開閉時に大きな衝撃力が、ノート型パーソナルコンピュータ４に加わったとしても、その衝撃力を緩和することができ、前記スリープ状態でノート型パーソナルコンピュータ４のメモリ部Ｍ等が破損することを確実に回避することができるようにしている。
【００２４】
前記メモリ部Ｍとしては、ハードディスクの他、ＲＡＭカードやＩＣカードを備えたメモリユニット等であってもよい。又、前記ノート型パーソナルコンピュータ４と監視ユニット１０とは、ＲＳ−２３２ＣまたはＵＳＢ規格のケーブル等の通信用ケーブルを用いて接続されている。又、監視ユニット１０には、ＵＰＳを備えており、停電発生時でも、蓄電池から瞬時に電力を供給できるようになっている。
【図面の簡単な説明】
【００２５】
【図１】本発明の薬剤分包機の概略斜視図である。
【図２】本発明の薬剤分包機の概略側面図である。
【図３】本発明の別の実施形態を示す薬剤分包機の概略斜視図である。
【図４】本発明の制御ブロック図である。
【図５】（ａ），（ｂ）は本発明の制御の動作を示すフローチャートである。
【符号の説明】
【００２６】
１…薬剤分包機本体、２…下台、３…上カバー、４…    ノート型パーソナルコンピュータ（端末）、５…    装置本体、６…ディスプレイ、７…前上面、８…    後上面、９…      縦面、１０  監視ユニット、１１…停止手段、１２…弾性材、１３…凹部、Ｓ…検出センサ、Ｍ…メモリ部、Ｘ…水平軸芯
【図１】
2009066129.tif 000003
【図２】
2009066129.tif 000004
【図３】
2009066129.tif 000005
【図４】
2009066129.tif 000006
【図５】
2009066129.tif 000007